(57)【特許請求の範囲】
【請求項１】
少なくとも一つの発熱ユニットと、
上記発熱ユニットに接続されて電力を供給する電力供給制御装置とを備える携帯用遠赤外線温灸物理治療装置であって、
上記電力供給制御装置は
電力供給ポートに接続されて外部電源から入力される電力を受ける充電制御回路と、
上記充電制御回路に接続されて充電される蓄電装置と、
上記充電制御回路と蓄電装置とをそれぞれ上記発熱ユニットに接続させて上記蓄電装置からの電力または上記外部電源から上記充電制御回路を介して入力された電力を上記発熱ユニットに送る電力出力制御ユニットと、
上記蓄電装置と上記充電制御回路と上記電力出力制御ユニットとにそれぞれ接続され、上記充電制御回路が上記外部電源の電力を受けるかどうかに応じて上記外部電源から上記充電制御回路を介してまたは上記蓄電装置から上記電力出力制御ユニットへ電力を提供して上記発熱ユニットに電力を供給することを制御し、上記電力出力制御ユニットから上記発熱ユニットへ電力を供給するモードを制御することで上記発熱ユニットの動作モードを制御するマイクロプロセッサと、
上記マイクロプロセッサに接続される動作モード選択ユニットと、
を含み、使用者が上記動作モード選択ユニットによって上記発熱ユニットの動作モードを選択して上記マイクロプロセッサに対応信号を送信する携帯用遠赤外線温灸物理治療装置。
【請求項２】
上記電力供給制御装置は温度センサーを含み、上記温度センサーは上記発熱ユニットに近接して設けられ上記発熱ユニットの温度を検出し、上記マイクロプロセッサに接続されて検出した温度を示す信号を上記マイクロプロセッサに送信し、上記マイクロプロセッサは上記検出した温度と格納ユニットに格納されている上記発熱ユニットのプリセット温度とを比較する請求項１に記載の携帯用遠赤外線温灸物理治療装置。
【請求項３】
上記発熱ユニットの動作モードは一回発熱モードと持続発熱モードを含み、上記マイクロプロセッサは上記動作モード選択ユニットから一回発熱モードの信号を受信したときに上記発熱ユニットが上記プリセット温度を達するまでに上記発熱ユニットへ電力を供給するように上記電力出力制御ユニットを指令し、上記動作モード選択ユニットから持続発熱モードの信号を受信したときに一連の電力供給周期で上記発熱ユニットへ電力を供給するように上記電力出力制御ユニットを指令する請求項２に記載の携帯用遠赤外線温灸物理治療装置。
【請求項４】
上記電力供給周期のそれぞれが、上記電力出力制御ユニットが間断なく上記発熱ユニットへ電力を供給して上記発熱ユニットの温度が高速で上記プリセット温度に近づくように上昇する全パワー電力供給段階と、上記電力出力制御ユニットが電力供給一時停止時間よりも電力供給時間が長い間欠方式で上記発熱ユニットへ電力を供給して上記発熱ユニットの温度が徐々に上記プリセット温度まで上昇する間欠電力供給温度上昇段階と、上記電力出力制御ユニットが電力供給一時停止時間よりも電力供給時間が短い間欠方式で上記発熱ユニットへ電力を供給して上記発熱ユニットの温度を維持する間欠電力供給維持段階と、特定時間帯に上記電力出力制御ユニットが上記発熱ユニットへの電力供給を停止する電力供給停止段階と、を含む請求項３に記載の携帯用遠赤外線温灸物理治療装置。
【請求項５】
上記マイクロプロセッサは上記全パワー電力供給段階と、上記間欠電力供給温度上昇段階と、上記間欠電力供給維持段階とのトータル時間を５〜６０分と設定し、上記電力供給停止段階の時間を０〜３０分と設定する請求項４に記載の携帯用遠赤外線温灸物理治療装置。
【請求項６】
上記電力供給制御装置は上記マイクロプロセッサに接続される最適温度確認ユニットをさらに含み、使用者が上記最適温度確認ユニットによって上記マイクロプロセッサに温度確認信号を送信し、上記マイクロプロセッサが上記温度確認信号を受信したときに、上記マイクロプロセッサが上記充電制御回路と蓄電装置と電力出力制御ユニットを制御する目標データとして上記充電制御回路と蓄電装置と電力出力制御ユニットの現在の状態を格納ユニットに格納する請求項１に記載の携帯用遠赤外線温灸物理治療装置。
【請求項７】
上記発熱ユニットは、基板と、上記基板の表面に塗布された半導体発熱抵抗フィルムと、上記半導体発熱抵抗フィルムの周辺に設けられた導電電極と、上記導電電極と上記電力供給制御装置とを接続して上記半導体発熱抵抗フィルムへ電力を供給する導線と、を含む請求項１に記載の携帯用遠赤外線温灸物理治療装置。
【請求項８】
上記基板はセラミック、グラス又は耐高温プラスチックにより形成された請求項７に記載の携帯用遠赤外線温灸物理治療装置。
【請求項９】
上記基板はステンレススチール、アルミニウム合金又は銅により形成され、上記半導体発熱抵抗フィルムと導電電極と上記基板との間に絶縁層が設けられた請求項７に記載の携帯用遠赤外線温灸物理治療装置。
【請求項１０】
上記発熱ユニットは、上記基板の上記半導体発熱抵抗フィルムが塗布された側に設けられ、セラミック、グラス又は耐高温プラスチックにより形成された保護部材をさらに含む、請求項７に記載の携帯用遠赤外線温灸物理治療装置。
【請求項１１】
上記基板の上記半導体発熱抵抗フィルムと対向する表面に遠赤外線強発射材料が塗布された請求項７に記載の携帯用遠赤外線温灸物理治療装置。
【請求項１２】
上記遠赤外線強発射材料は酸化アルミニウム、酸化鉄、シリカ、酸化チタニウム、レアレス金属酸化物又は炭素である請求項１１に記載の携帯用遠赤外線温灸物理治療装置。
【請求項１３】
上記基板の周辺に磁性体が設けられた請求項７に記載の携帯用遠赤外線温灸物理治療装置。
【請求項１４】
その表面に少なくとも一つの上記発熱ユニットが設けられたキャリアをさらに含む請求項７乃至１３のいずれか一つに記載の携帯用遠赤外線温灸物理治療装置。
【請求項１５】
上記キャリアは筐体であり、上記発熱ユニットは上記筐体の表面に設けられ、上記筐体は互いにマッチして内部中空部分を形成する二つの半部を備え、上記電力供給制御装置は上記内部中空部分に設けられた請求項１４に記載の携帯用遠赤外線温灸物理治療装置。
【請求項１６】
上記キャリアは筐体であり、上記発熱ユニットは上記筐体の一つ又は二つの端面にマッチして内部中空部分を形成し、上記電力供給制御装置は上記内部中空部分に設けられた請求項１４に記載の携帯用遠赤外線温灸物理治療装置。
【請求項１７】
上記キャリアはベルト、シリコンビスコースシート又は医学ゴム引きテープであり、上記発熱ユニットは上記ベルト、シリコンビスコースシート又は医学ゴム引きテープに付着された請求項１４に記載の携帯用遠赤外線温灸物理治療装置。
【請求項１８】
上記発熱ユニットの数は二つ以上であり、上記発熱ユニットは上記キャリアにより人間のつぼの位置又は痛みの位置に固定される請求項１７に記載の携帯用遠赤外線温灸物理治療装置。
【発明の詳細な説明】
【技術分野】
【０００１】
本発明は物理治療装置に関し、特に、携帯用遠赤外線温灸（thermal moxibustion）物理治療装置に関する。
【背景技術】
【０００２】
物理治療は簡単に理療と称され、人工的又は自然的物理要素を人体に作用させ、有利的な反応を発生し、病気予防や病気治療の目的を達成する。常用の人工的な物理要素は電気、光、声、磁気、温度、機械力などを含む。
【０００３】
通常、人間によく採用されるのは温度を物理要素とした物理治療装置であり、すなわち温湿布物理治療装置である。しかし、伝統的な温湿布物理治療装置は非常に高い温度で発生した熱エネルギーを皮膚の表層から目的部位に浸透し、そうすると、皮膚が忍びにくい高温を受けなければならなく、しかも目的部位が必要な温度にならない場合が多い。従って、皮膚をやけどしやすく、物理治療の効果を達成できない。結果的に労多くして功少なしである。
【０００４】
現在、発熱機能なしの遠赤外線物理治療装置、すなわち受動式遠赤外線物理治療装置がすでに市販されている。しかし、この種の遠赤外線物理治療装置は熱エネルギーで遠赤外線の発射を励起する機能がないので、その遠赤外線発射率が非常に低く、病気予防や病気治療の効果をほとんど達成できない。
【０００５】
主動式遠赤外線物理治療装置は熱エネルギーで遠赤外線の発射を励起することができるが、その種の遠赤外線物理治療装置は消費電力が多いため、商用電源を使用しなければならなく、使用者が固定位置で使用しなければならなく随意に移動することができない。
【発明の概要】
【発明が解決しようとする課題】
【０００６】
上記問題に鑑み、本発明の主な目的は、少なくとも一つの発熱ユニットと、上記発熱ユニットに接続されて電力を供給する電力供給制御装置とを備える携帯用遠赤外線温灸物理治療装置であって、上記電力供給制御装置は電力供給ポートに接続されて外部電源から入力される電力を受ける充電制御回路と、上記充電制御回路に接続されて充電される蓄電装置と、上記充電制御回路と蓄電装置とをそれぞれ上記発熱ユニットに接続させて上記蓄電装置からの電力または上記外部電源から上記充電制御回路を介して入力された電力を上記発熱ユニットに送る電力出力制御ユニットと、上記蓄電装置と上記充電制御回路と上記電力出力制御ユニットとにそれぞれ接続され、上記充電制御回路が上記外部電源の電力を受けるかどうかに応じて上記外部電源から上記充電制御回路を介してまたは上記蓄電装置から上記電力出力制御ユニットへ電力を提供して上記発熱ユニットに電力を供給することを制御し、上記電力出力制御ユニットから上記発熱ユニットへ電力を供給するモードを制御することで上記発熱ユニットの動作モードを制御するマイクロプロセッサと、を含む携帯用遠赤外線温灸物理治療装置を提供することである。
【課題を解決するための手段】
【０００７】
上記電力供給制御装置は温度センサーを含んでもよく、上記温度センサーは上記発熱ユニットに近接して設けられ上記発熱ユニットの温度を検出し、上記マイクロプロセッサに接続されて検出した温度を示す信号を上記マイクロプロセッサに送信し、上記マイクロプロセッサは上記検出した温度と格納ユニットに格納されている上記発熱ユニットのプリセット温度とを比較する。また、上記電力供給制御装置は上記マイクロプロセッサに接続される動作モード選択ユニットをさらに含んでもよく、使用者が上記動作モード選択ユニットによって上記発熱ユニットの動作モードを選択して上記マイクロプロセッサに対応信号を送信する。
【０００８】
好ましくは、上記発熱ユニットの動作モードは一回発熱モードと持続発熱モードを含み、上記マイクロプロセッサは上記動作モード選択ユニットから一回発熱モードの信号を受信したときに上記発熱ユニットが上記プリセット温度を達するまでに上記発熱ユニットへ電力を供給するように上記電力出力制御ユニットを指令し、上記動作モード選択ユニットから持続発熱モードの信号を受信したときに一連の電力供給周期で上記発熱ユニットへ電力を供給するように上記電力出力制御ユニットを指令する。上記電力供給周期のそれぞれが、上記電力出力制御ユニットが間断なく上記発熱ユニットへ電力を供給して上記発熱ユニットの温度が高速で上記プリセット温度に近づくように上昇する全パワー電力供給段階と、上記電力出力制御ユニットが電力供給一時停止時間よりも電力供給時間が長い間欠方式で上記発熱ユニットへ電力供給して上記発熱ユニットの温度が徐々に上記プリセット温度まで上昇する間欠電力供給温度上昇段階と、上記電力出力制御ユニットが電力供給一時停止時間よりも電力供給時間が短い間欠方式で上記発熱ユニットへ電力供給して上記発熱ユニットの温度を維持する間欠電力供給維持段階と、特定時間帯に上記電力出力制御ユニットが上記発熱ユニットへの電力供給を停止する電力供給停止段階と、を含む。
【０００９】
好ましくは、上記マイクロプロセッサは上記全パワー電力供給段階と、上記間欠電力供給温度上昇段階と、上記間欠電力供給維持段階とのトータル時間を５〜６０分と設定し、上記電力供給停止段階の時間を０〜３０分と設定する。
【００１０】
または、上記電力供給制御装置は上記マイクロプロセッサに接続される最適温度確認ユニットをさらに含んでもよく、使用者が上記最適温度確認ユニットによって上記マイクロプロセッサに温度確認信号を送信し、上記マイクロプロセッサが上記温度確認信号を受信したときに、上記マイクロプロセッサが上記充電制御回路と蓄電装置と電力出力制御ユニットを制御する目標データとして上記充電制御回路と蓄電装置と電力出力制御ユニットの現在の状態を格納ユニットに格納する。
【００１１】
上記発熱ユニットは、基板と、上記基板の表面に塗布された半導体発熱抵抗フィルムと、上記半導体発熱抵抗フィルムの周辺に設けられた導電電極と、上記導電電極と上記電力供給制御装置とを接続して上記半導体発熱抵抗フィルムへ電力を供給する導線と、を含む。上記基板はセラミック、グラス又は耐高温プラスチックにより形成されてもよい。または、上記基板はステンレススチール、アルミニウム合金又は銅により形成され、上記半導体発熱抵抗フィルムと導電電極と上記基板との間に絶縁層が設けられてもよい。
【００１２】
上記発熱ユニットは、保護部材をさらに含み、上記保護部材は上記基板の上記半導体発熱抵抗フィルムが塗布された側に設けられセラミック、グラス又は耐高温プラスチックにより形成されてもよい。
【００１３】
好ましくは、上記基板の上記半導体発熱抵抗フィルムと対向する表面に遠赤外線強発射材料が塗布される。上記遠赤外線強発射材料は酸化アルミニウム、酸化鉄、シリカ、酸化チタニウム、レアレス金属酸化物又は炭素であってもよい。
【００１４】
また、上記基板の周辺に磁性体が設けられた。
上記携帯用遠赤外線温灸物理治療装置はその表面に少なくとも一つの上記発熱ユニットが設けられたキャリアをさらに含んでもよい。上記キャリアは筐体であり、上記発熱ユニットは上記筐体の表面に設けられ、上記筐体は互いにマッチして内部中空部分を形成する二つの半部を備え、上記電力供給制御装置は上記内部中空部分に設けられてもよい。または、上記キャリアは筐体であり、上記発熱ユニットは上記筐体の一つ又は二つの端面にマッチして内部中空部分を形成し、上記電力供給制御装置は上記内部中空部分に設けられた。また、上記キャリアはベルト、シリコンビスコースシート又は医学ゴム引きテープであり、上記発熱ユニットは上記ベルト、シリコンビスコースシート又は医学ゴム引きテープに付着された。上記発熱ユニットの数は二つ以上であり、上記発熱ユニットは上記キャリアにより人間のつぼの位置又は痛みの位置に固定される。
【００１５】
以下、図面を参照して本発明を詳しく説明する。
【図面の簡単な説明】
【００１６】
【図１】本発明の携帯用遠赤外線温灸物理治療装置の第１の実施形態の正面図である。
【図２】図１に示された携帯用遠赤外線温灸物理治療装置の側面図である。
【図３】本発明の携帯用遠赤外線温灸物理治療装置の電力供給制御装置の第１の実施形態のブロック図である。
【図４】本発明の携帯用遠赤外線温灸物理治療装置の電力供給制御装置の第２の実施形態のブロック図である。
【図５】本発明の携帯用遠赤外線温灸物理治療装置に使用された発熱ユニットの実施形態の正面図である。
【図６】図５に示された発熱ユニットの側面図である。
【図７】図５に示された発熱ユニットから保護部材を除去したものの正面図である。
【図８】図５に示された発熱ユニットから保護部材を除去したものの変形例の正面図である。
【図９】本発明の携帯用遠赤外線温灸物理治療装置に使用された発熱ユニットの他の実施形態の正面図である。
【図１０】本発明の携帯用遠赤外線温灸物理治療装置の第２の実施形態の正面図である。
【図１１】本発明の携帯用遠赤外線温灸物理治療装置の第３の実施形態の正面図である。
【図１２】図１１に示された携帯用遠赤外線温灸物理治療装置の側面図である。
【発明を実施するための形態】
【００１７】
図１は、筐体２と筐体の表面に設けられる少なくとも一つの発熱ユニット３を備える本発明の携帯用遠赤外線温灸物理治療装置を示す。図２に示されたように、筐体２の対向する二つの表面にそれぞれ一つの発熱ユニット３が設けられた。また、筐体の表面に二つ以上の発熱ユニットが設けられてもよい。
【００１８】
図２に示されたように、上記筐体２は互いにマッチして内部中空部分を形成する二つの半部を備えてもよい。上記筐体の内部中空部分に発熱ユニット３へ電力を供給する電力供給制御装置が設けられてもよい。以下、図３と図４を参照して上記電力供給制御装置を説明する。
【００１９】
図３は、本発明の携帯用遠赤外線温灸物理治療装置の電力供給制御装置の第１の実施形態のブロック図を示す。上記電力供給制御装置は、マイクロプロセッサ（MCU）６と、筐体２の側面に設けられた電力供給ポート５に接続されて外部電源から入力される電力を受ける充電制御回路７と、充電制御回路７に接続されて充電される蓄電装置８と、充電制御回路７と蓄電装置８とをそれぞれ発熱ユニット３に接続させて充電制御回路７または蓄電装置８からの電力を発熱ユニット３に送る電力出力制御ユニット９と、発熱ユニット３に近接して設けられマイクロプロセッサ６に接続されて発熱ユニット３の温度を検出し、検出した温度の信号をマイクロプロセッサ６に送信する温度センサー１０と、制御の実行に必要なデータと相応のプリセット温度値を格納する格納ユニット１１と、を含む。
【００２０】
上記電力供給ポート５は、例えば、計算機に接続された時に蓄電装置に充電するUSBポート、自動車のライタに接続されたときに蓄電装置に充電する自動車電源ポート、及び/または普通の変圧器に接続された時に蓄電装置に充電するＤＣポートを含んでもよい。
【００２１】
上記蓄電装置８は、充電電池セットであってもよく、その他の充電エネルギー蓄積装置であってもよい。上記マイクロプロセッサ６は充電制御回路７と蓄電装置８と電力出力制御ユニット９に接続されてこれらを制御する。上記マイクロプロセッサ６は、充電制御回路７が外部から入力された電力を受けて蓄電装置に充電することを検出した場合、蓄電装置８から電力出力制御ユニット９経由で発熱ユニット３への電力供給を停止し、外部電源から入力された電力を直接利用して充電制御回路７と電力出力制御ユニット９を経由して発熱ユニット３に電力を供給する。マイクロプロセッサ６は、充電制御回路７が外部電力の入力を受けていないことを検出したら、蓄電装置８を制御して電力出力制御ユニット９を経由して発熱ユニット３に電力を供給する。
【００２２】
図２に示されたように、上記電力供給制御装置は筐体２の側面に設けられる動作モード選択ユニット４を含んでもよい。上記動作モード選択ユニット４が上記マイクロプロセッサ６に接続され、使用者が上記動作モード選択ユニット４によって発熱ユニット３の動作モードを選択してマイクロプロセッサ６に対応する信号を送信する。その後、上記マイクロプロセッサ６は受信した動作モード信号に応じて、発熱ユニット３が該当する動作モードで、例えば一回発熱モードや持続発熱モードで動作するように電力出力制御ユニット９を制御する。
【００２３】
図３に示された電力供給制御装置の具体的な動作方式は下記の通りである。マイクロプロセッサ６は動作モード選択ユニット４から送った一回発熱モードの信号を受信したときに、発熱ユニット３の温度が高速に上昇するよう充電制御回路７または蓄電装置８から出力された電力を発熱ユニット３へ供給するように電力出力制御ユニット９を制御する。同時に、温度センサー１０は発熱ユニット３の温度を検出し、検出した温度信号をマイクロプロセッサ６に送信する。マイクロプロセッサ６は上記温度信号と予め格納ユニットに設定されているプリセット温度値とを比較する。温度信号が示す温度はプリセット温度よりも低いと判定した場合、マイクロプロセッサ６は、発熱ユニット３に持続的に電力を供給するよう電力出力制御ユニット９を指令する。温度信号が示す温度はプリセット温度に達したと判定した場合、マイクロプロセッサ６は、発熱ユニット３に電力供給を停止するよう電力出力制御ユニット９を指令する。
【００２４】
マイクロプロセッサ６は、動作モード選択ユニット４からの持続発熱モードの信号を受信したときに、一連の電力供給周期で発熱ユニット３へ周期的に電力を供給するように電力出力制御ユニット９を指令する。周期ごとに順に、全パワー電力供給段階と、間欠電力供給温度上昇段階と、間欠電力供給維持段階と、電力供給停止段階と、四つの段階を含む。
【００２５】
全パワー電力供給段階において、電力出力制御ユニット９が間断なく発熱ユニット３へ電力を供給して発熱ユニット３の温度が高速で上記プリセット温度に近づくように上昇する。例えば、マイクロプロセッサ６は、温度センサー１０に検出された発熱ユニット３の温度がプリセット温度の８０〜９０％になったと判定した場合、第２の段階すなわち間欠電力供給温度上昇段階に入るように電力出力制御ユニット９を制御する。一般、上記全パワー電力供給段階は１〜３分間に続く。
【００２６】
間欠電力供給温度上昇段階において、電力出力制御ユニット９が電力供給一時停止時間よりも電力供給時間が長い間欠方式で発熱ユニット３へ電力供給して発熱ユニット３の温度を徐々に上記プリセット温度まで上昇させる。例えば、電力出力制御ユニット９は、蓄電装置８の状態及び/又は必要な温度上昇勾配に応じて、電力供給３〜５秒間で電力供給一時停止１秒間のような間欠電力供給方式で電力を供給してもよいし、発熱ユニット３の温度をできるだけ早くプリセット温度に上昇することが必要であれば、電力供給５秒間、電力供給一時停止１秒間で電力を供給してもよいし、発熱ユニット３の温度を徐々にプリセット温度に上昇することが必要であれば、電力供給３秒間、電力供給一時停止１秒間で電力を供給してもよい。なお、実際の状況と必要に応じて異なる電力供給時間と電力供給一時停止時間との比例を設定してもよい。マイクロプロセッサ６は、温度センサー１０に検出された発熱ユニット３の温度がプリセット温度になったと判定した場合、第３の段階すなわち間欠電力供給維持段階に入るように電力出力制御ユニット９を制御する。
【００２７】
間欠電力供給維持段階において、電力出力制御ユニット９が同様に間欠方式で発熱ユニットへ電力を供給する。しかし、この段階において、電力供給一時停止時間よりも電力供給時間のほうが短く、発熱ユニット３の温度を上昇しなく、できるだけ長時間に発熱ユニット３の温度を維持する。例えば、電力出力制御ユニット９は、蓄電装置８の状態及び/又は必要な維持温度時間の長さに応じて、電力供給１秒間で電力供給一時停止３〜５秒間のような間欠電力供給方式で電力を供給してもよい。なお、実際の状況と必要に応じて異なる電力供給時間と電力供給一時停止時間との比例を設定してもよい。
【００２８】
各周期における前の三つの段階、すなわち、上記全パワー電力供給段階と、上記間欠電力供給温度上昇段階と、上記間欠電力供給維持段階とを所定の時間（例えば５〜６０分間）を維持した後、マイクロプロセッサ６は、第４の段階すなわち電力供給停止段階に入るように電力出力制御ユニット９を制御し、物理治療を受けていた部位を休ませる。例えば、上記三つの段階の維持時間を３０分とし、電力供給停止段階の持続時間を０〜３０分とする。この段階において、マイクロプロセッサ６は次の周期に使用するために発熱ユニット３の温度及び制御用データを格納ユニット１１に格納する。以上により、一つの電力供給周期を完了する。次の電力供給周期は全パワー電力供給段階から繰り返す。従って、マイクロプロセッサ６の制御により、充電制御回路７又は蓄電装置８が電力出力制御ユニット９を経由して発熱ユニット３へ周期的に電力を供給でき、しかも周期ごとに間欠的に電力を供給でき、少ない電力で発熱ユニット３の長い時間の動作を維持できる。
【００２９】
なお、上記携帯用遠赤外線温灸物理治療装置１は複数の発熱ユニット３を備えた場合、上記動作モード選択ユニット４はマイクロプロセッサ６に選択信号を送信し、マイクロプロセッサ６は電力出力制御ユニット９を制御して選択された一つ以上の発熱ユニット３に電力を供給し、選択された一つ以上の発熱ユニット３を動作させ、選択されない他の発熱ユニット３を動作させない。選択された複数の発熱ユニット３は同じ動作モードで動作してもよく、異なる動作モードで動作してもよい。
【００３０】
図４は、本発明の携帯用遠赤外線温灸物理治療装置の電力供給制御装置の第２の実施形態のブロック図を示す。第２の実施形態は、最適温度確認ユニット１２で第１の実施形態の温度センサー１０を入れ替えた点以外、第１の実施形態と基本的に同じである。上記最適温度確認ユニット１２はマイクロプロセッサ６に接続されマイクロプロセッサ６に温度確認信号を送信する。上記最適温度確認ユニット１２の具体的な動作方式は、使用者が自身の感知により発熱ユニット３が希望の温度を達したかどうかを判定する。使用者は発熱ユニット３の温度が希望の温度を達したと感知した場合、最適温度確認ユニット１２によってマイクロプロセッサ６へ温度確認信号を送信する。このとき、マイクロプロセッサ６は電力供給目標データとして充電制御回路７及び/又は蓄電装置８の状態と電力出力制御ユニット９の発熱ユニット３への電力供給状態を格納ユニット１１に格納する。以降の使用において、上記目標データに近づくように各手段を制御する。最適温度確認ユニット１２を利用することで、使用者はいつでも感知した発熱ユニットの最適温度を確認できるので、異なる使用者のニーズを満たすことができる。
【００３１】
図5〜7に示すように、上記発熱ユニット３は、基板１３と、基板１３の表面に塗布された半導体発熱抵抗フィルム１６と、上記半導体発熱抵抗フィルム１６の周辺に設けられた導電電極１７と、導電電極１７と上記電力供給制御装置とを接続する導線１５と、を含む。上記基板１３は絶縁材料により形成されてもよい、例えば、セラミック、グラス又は耐高温プラスチックなどにより形成される。そうすると、半導体発熱抵抗フィルム１６と導電電極１７とは直接に上記基板１３に設けられることができる。また、上記基板１３は導電材料により形成されてもよい、たとえば、ステンレススチール、アルミニウム合金、銅などにより形成される。そして、半導体発熱抵抗フィルム１６と導電電極１７とを基板１３に設けられる前に基板１３に一層の絶縁層が塗布されることが必要である。
【００３２】
動作状態において、電力供給の電源、例えば上記電力供給制御装置は導線１５によって半導体発熱抵抗フィルム１６に電力を供給するので、半導体発熱抵抗フィルム１６は発熱して外部へ遠赤外線を発射することができる。上記発熱ユニット３を該当のつぼや痛み位置に正確に合わせると、該当位置に対して遠赤外線温灸物理治療を行うことができる。
【００３３】
半導体発熱抵抗フィルム１６と導電電極１７を保護するために、上記発熱ユニット３は、保護部材１４をさらに含んでもよい。上記保護部材は基板１３の半導体発熱抵抗フィルム１６が塗布された側に設けられる。保護部材１４は絶縁材料により形成されてもよい、例えば、セラミック、グラス又は耐高温プラスチックなどにより形成される。同時に、上記保護部材１４は導線１５を固定するものや断熱するものとして機能する。発熱ユニット３が筐体２に設けられるとき、基板１３は外側に向くことで、使用時に物理治療の対象を直接向くことになる。
【００３４】
発熱ユニット３の遠赤外線発射率を向上するために、基板１３の半導体発熱抵抗フィルム１６と対向する表面に遠赤外線強発射材料、例えば酸化アルミニウム、酸化鉄、シリカ、酸化チタニウム、レアレス金属酸化物又は炭素などが塗布されてもよい。
【００３５】
なお、異なるニーズに応じて、半導体発熱抵抗フィルム１６が異なる形状で基板１３に塗布されてもよい。例えば、図７に示された半導体発熱抵抗フィルム１６は円形であり、図８に示された半導体発熱抵抗フィルム１６は矩形である。
【００３６】
図９に本発明の発熱ユニットの他の実施形態を示す。図９に示された発熱ユニットと図５示された発熱ユニットとの相違点は、図９の発熱ユニットの基板１３の周辺に一つ以上の磁性体１８、例えば永久磁石が設けられたことである。よって、発熱ユニットが発生した遠赤外線と磁性体が発生した磁界は一緒に物理治療すべき部位に作用して物理治療を行うことができる。
【００３７】
図１に示すように、上記筐体２は楕円形であってもよい。ただし、筐体が異なる形状に形成されてもよい。例えば、図１１と図１２に示すように、筐体２１はドラム状に形成され、その一つ又は二つの端面が発熱ユニット３と互いにマッチして電力供給制御装置を収納する内部中空部分を形成する。同様に、筐体の側面に動作モード選択ユニット４と電力供給ポート５を設けてもよい。このようにして、本発明の携帯用遠赤外線温灸物理治療装置はつぼ温熱用の按摩石、サウナ石、手暖かめ器、足暖かめ器、身暖かめ器として構成される。使用時に、上記筐体２の表面に設けられた発熱ユニット３或いは筐体２１と互いにマッチした発熱ユニットを対応のつぼや痛み位置に合わせると、物理治療すべき位置に遠赤外線温灸物理治療を行うことができる。
【００３８】
しかし、図１１と図１２に示すように、発熱ユニット３は独立な部品として形成されてもよく、図５〜９に示すように、外付け部品として形成されてもよい。使用時に、上記発熱ユニット３は導線１５によって電力供給の電源、例えば上記電力供給制御装置と直接に接続して、対応のつぼ又は痛み位置に合わせる。よって、上記電力供給制御装置は上記発熱ユニット３の半導体発熱抵抗フィルム１６に電力を供給して、半導体発熱抵抗フィルム１６を発熱させて外部へ遠赤外線を発射させて、物理治療すべき位置に遠赤外線温灸物理治療を行うことができる。
【００３９】
なお、人間の異なる部位のニーズを対応するように、人間工学原理に基づいて上記筐体２が異なる外形に設計されてもよい。例えば、上記発熱ユニット３を大きなサイズの胴体や部位に位置させる要求を満たすために、上記独立発熱ユニット又は外付け発熱ユニットがベルト２０に付着させて使用されてもよい。そして、図１０に示すように、本発明の物理治療装置は携帯用遠赤外線温灸物理治療ベルト１９として構成される。上記発熱ユニット３は例えばマジックテープ（登録商標）、網状布、接着剤などによってベルト２０に付着する。特に、二つ以上の発熱ユニット３が人間のつぼの位置に従ってベルト２０に付着されてもよく、発熱ユニット３は導線１５によって上記電力供給制御装置と接続して、電力供給制御装置によって電力が供給される。使用時に、発熱ユニット３を物理治療すべき部位に向かせてベルト２０によって固定する。上記発熱ユニット又は外付け発熱ユニットはシリコンビスコースシート、医学ゴム引きテープ、その他の人体に発熱ユニットを固定できる材料に付着されてもよい。シリコンビスコースシート、医学ゴム引きテープ、その他の人体に発熱ユニットを固定できる材料によって発熱ユニットは人体のつぼまたは痛み位置に固定される。
【００４０】
本発明は、半導体発熱抵抗フィルム１６を発熱ユニットとして遠赤外線を発生するため、低い温度で強い遠赤外線を発生できるので、普通の遠赤外線物理治療装置によりその物理治療の効果は優れる。また、本発明の遠赤外線温灸物理治療装置は半導体発熱抵抗フィルムを利用して遠赤外線を発生するため、その電力消費量は非常に少ない。たとえば、2.5V〜3.6V/0.7W〜0.8Wで約４０〜４４℃の好適な温度を実現でき、かつ、電力供給制御装置の制御により、発熱ユニットは異なる動作モードで動作することができる。従って、当該遠赤外線温灸物理治療装置は電力供給制御装置により長い時間に動作することができる。よって、本発明の遠赤外線温灸物理治療装置は携帯用に便利で、固定電源の制限を受けない。
【００４１】
好ましい実施例に基づいて本発明を説明したが、本発明はこれに限られない。本発明の精神または範囲から逸脱することなく、当業者は本発明に対していろいろな改善や変形をすることができる。
【符号の説明】
【００４２】
４    動作モード選択ユニット
５    電力供給ポート
６    マイクロプロセッサ
７    充電制御回路
８    蓄電装置
９    電力出力制御ユニット
１１  格納ユニット
１２  最適温度確認ユニット
【図１】
0005314151.tif 000002
【図２】
0005314151.tif 000003
【図３】
0005314151.tif 000004
【図４】
0005314151.tif 000005
【図５】
0005314151.tif 000006
【図６】
0005314151.tif 000007
【図７】
0005314151.tif 000008
【図８】
0005314151.tif 000009
【図９】
0005314151.tif 000010
【図１０】
0005314151.tif 000011
【図１１】
0005314151.tif 000012
【図１２】
0005314151.tif 000013